(57)【要約】【課題】リセットボタンの誤操作を確実に防止できるようにする。【解決手段】操作面部８と、この操作面部８の一側部に設けられ、カード情報を読み取るカードリーダと、操作面部８にカードリーダに近接して設けられたリセットボタン７とを具備し、リセットボタン７は、操作面部８に対し凹んだ状態で設けられる。【選択図】図２
2011034407.tif 000002
【特許請求の範囲】
【請求項１】
操作面部と、
この操作面部の一側部に設けられ、カード情報を読み取るカードリーダと、
前記操作面部に前記カードリーダに近接して設けられた操作ボタンと
を具備し、
前記操作ボタンは、前記操作面部に対し凹んだ状態で設けられたことを特徴とするカード処理装置。
【請求項２】
前記操作面部にはタッチパネルが設けられ、前記操作ボタンは前記タッチパネルと同一面上に配置されることを特徴とする請求項１記載のカード処理装置。
【請求項３】
前記操作ボタンは、前記タッチパネルで入力される入力情報、及び前記カードリーダによって読み取られる読取情報をリセットするリセットボタンであることを特徴とする請求項２記載のカード処理装置。
【請求項４】
決済端末として適用されることを特徴とする請求項１乃至３の何れか一項に記載のカード処理装置。
【請求項５】
前記タッチパネルへのタッチ操作および前記カードリーダの読取情報に基づく決済情報をプリントすることを特徴とする請求項４記載のカード処理装置。
【請求項６】
前記操作ボタンは、複数個配設されたことを特徴とする請求項１または２記載のカード処理装置。
【発明の詳細な説明】
【技術分野】
【０００１】
この発明は、例えば、カード決済端末として適用されるカード処理装置に関する。
【背景技術】
【０００２】
商品販売処理装置、例えば、ＰＯＳターミナルやレジスタなどに付属される端末として、カード決済用の端末がある。この端末は、表示部、操作面部、およびカードリーダなどを有し、商品の販売に関わる情報を表示部で表示する。
【０００３】
店舗の係員が、販売代金を操作面部のテンキーで入力し、顧客から提示されるＩＣカード、デビットカード、クレジットカードのいずれかを端末のカードリーダに挿入することにより、決済が完了されるようになっている。
【０００４】
また、上記した操作面部には各種操作ボタンが配設され、これら操作ボタンの押圧操作により情報が入力される。さらに、操作面部には操作ボタンとしてリセットボタンが設けられ、このリセットボタンの押圧操作により、上記した入力情報およびカードリーダの読取情報をそれぞれリセットすることができるようになっている。
【０００５】
ところで、通常、各種操作ボタンはカードリーダに近接した状態で設けられている（例えば特許文献１参照）。
【発明の概要】
【発明が解決しようとする課題】
【０００６】
しかしながら、従来においては、各種操作ボタンを操作面部から上方へ突出する状態で設けていたため、カードリーダに沿ってカードをスライド操作させたときにカードを持つ手が各種操作ボタンに誤って接触して押し下げてしまうことがあった。この場合には、操作者が希望しない操作を行なってしまう虞があった。加えて、押されたボタンがリセットボタンであった場合、折角読み取った情報がリセットされてしまう虞があった。リセットボタンを押してしまうと、再度の入力を行なわなくてはならず、顧客に不快感を与え、商品売買のチャンスロスになる虞がある。
【０００７】
この発明は、上記事情に着目してなされたもので、操作ボタンの誤操作を確実に防止できるようにしたカード処理装置を提供することを目的とする。
【課題を解決するための手段】
【０００８】
上記課題を解決するため、請求項１記載の発明は、操作面部と、この操作面部の一側部に設けられ、カード情報を読み取るカードリーダと、前記操作面部に前記カードリーダに近接して設けられた操作ボタンとを具備し、前記操作ボタンは、前記操作面部に対し凹んだ状態で設けられたことを特徴とする。
【発明の効果】
【０００９】
この発明によれば、操作ボタンの誤操作を確実に防止できるようにしたカード処理装置を提供することができる。
【図面の簡単な説明】
【００１０】
【図１】本発明の一実施の形態であるカード処理装置を示す平面図。
【図２】図１中Ａ−Ａ線に沿って示す断面図。
【図３】図１中Ｂ−Ｂ線に沿って示す断面図。
【図４】本発明の他の実施の形態であるカード処理装置を示す平面図。
【発明を実施するための形態】
【００１１】
以下、この発明の実施の形態について図面を参照して説明する。  
図１は、この発明の一実施の形態であるカード処理装置としてのカード決済端末を示す平面図である。
【００１２】
カード決済端末は装置本体１を有し、この装置本体１は店舗のレジカウンタ等にＰＯＳターミナル（図示しない）やレジスタ（図示しない）とともに設置される。装置本体１の側面部には電源スイッチ（図示しない）が設けられ、上面部には上ユニット３が設けられている。
【００１３】
上ユニット３は、その一側部が装置本体１に開閉自在に枢支されている。上ユニット３の上面部は操作面部８となっている。この操作面部８には、矩形状のタッチパネル式表示部４、及び操作ボタンとしてのリセットボタン７が配設されている。タッチパネル式表示部４とリセットボタン７は同一面上に配置されている。
【００１４】
また、上ユニット３の操作面部８の一側部側にはカードリーダ５が設けられ、下縁部にはプリンタの排紙口６が設けられている。
【００１５】
リセットボタン７は構造上の制約によりカードリーダ５の下部側近傍に設けられている。即ち、図示しないが、ＬＣＤの下にＰＣ板が設けられており、ＬＣＤとＰＣ板はケーブルで接続されている。また、カードリーダ５とＰＣ板もケーブルで接続される。このため、タッチパネル式表示部４とカードリーダ５との間にはケーブルを収納するスペースが必要となり、一定の間隔が必要となる。端末の小型化のためには、リセットボタン７はタッチパネル式表示部４とカードリーダ５との間にスイッチを設けることが望ましい。
【００１６】
上記カードリーダ５は、顧客から提示される決済用のカードたとえばＩＣカード、デビットカード、クレジットカード等が挿入およびスライド操作されることにより、そのカードに記録されているデータを読取るものである。
【００１７】
プリンタの排紙口６は、タッチパネル式表示部４へのタッチ操作およびカードリーダ５の読取情報に基づいて決済された決済情報がプリントされたクレジット伝票を排出させるものである。
【００１８】
リセットボタン７は、例えば、顧客が使用するカードの変更を申し出た場合などに押圧操作されるものである。この押圧操作により、タッチパネル式表示部４により入力された入力情報およびカードリーダ５で読み取られた読取情報がそれぞれリセットされる。
【００１９】
また、リセットボタン７は、顧客がカードを操作して決済している最中に心変わりしてカードを変更する場合などには、すばやく押圧操作する必要がある。このため、リセットボタン７は指などで簡単に押圧操作できるように浅く設けることが望ましい。
【００２０】
店舗の係員は、顧客が購入しようとする商品がレジカウンタに持込まれると、顧客から提示されるＩＣカード、デビットカード、クレジットカードのいずれかをカードリーダ５に挿入してスライド操作してカード情報を読み取る。ついで、タッチパネル式表示部４で表示されているテンキー画面をタッチ操作して販売金額、支払方法等を入力し、この入力後、送信ボタンを押圧操作して送信する。
【００２１】
この送信により、ＰＯＳターミナル側で商品販売の決済が行なわれ、承認されると、その決済の内容をプリントしたクレジット伝票が上ユニット３の排紙口６から排出されるようになっている。
【００２２】
一方、上記した上ユニット３の操作面部８には、図２及び図３にも示すように、リセットボタン７を露出させる開口部１０が設けられている。また、リセットボタン７は上ユニット３の内部に設けられた作動片１１に一体的に形成されている。作動片１１は一端部側が固定部材１２により、上ユニット３の天井面側に固定されている。
【００２３】
リセットボタン７の下面側はリセットスイッチ１４に対向されている。係員によりリセットボタン７が押し下げられると、作動片１１が下方に弾性変形してリセットボタン７の下面部でリセットスイッチ１４をオンさせるようになっている。このスイッチオンにより、上記したタッチパネル式表示部４で入力された入力情報およびカードリーダ５で読み取られて読取情報がそれぞれリセットされる。リセットボタン７の押圧が解除されると、作動片１１がそのバネ力により上方に復帰してリセットボタン７を初期位置に復帰させる。
【００２４】
ところで、本実施の形態では、小型化されたタッチパネル４を設けたカード処理装置を例に挙げている。ここで、タッチパネル４で操作を行なう場合、タッチパネル４のボタンを押下げると、画面が切り替わるため、リセットボタン７は画面外に設ける必要がある。操作性のため、画面外に置かれたリセットボタン７はタッチパネルと同一平面上にあることが望ましい。このため、本実施例のようなカード処理装置はカードをカードリーダ５に沿って引いたときに誤ってリセットボタン７を押下げてしまう可能性が高かった。
【００２５】
そこで、本実施の形態では、上記したリセットボタン７の上面部が、操作面部８に形成された開口部１０から下方に所定寸法凹んだ状態となるようにリセットボタン７を設けている。
【００２６】
従って、リセットボタン７を押圧操作する場合には、その真上から押し下げなければリセットボタン７を押圧操作できないようになっている。
【００２７】
このようにリセットボタン７の上面部を操作面部８の開口部１０から下方に所定寸法凹ませるため、リセットボタン７がカードリーダ５の近傍に設けられても、カードリーダ５のスライド操作時にカードを持つ手がリセットボタン７に当接することがない。
【００２８】
従って、リセットボタン７を誤操作してしまうことがなく、カードリーダ５で読み取った読取情報をリセットしてしまうことを確実に防止できる。
【００２９】
なお、上記した一実施の形態では、操作ボタンとしてリセットボタン７のみを設けたが、本発明はこれに限られることなく、図４に示すように、各種の操作ボタンをカードリーダ５に沿って複数個配設し、その上面部を操作面部８から下方に所定寸法凹ませるようにしてもよい。
【００３０】
その他、本発明は上記した実施の形態に限定されるものではなく、その要旨を変えない範囲内で種々変形実施可能であることは勿論である。
【符号の説明】
【００３１】
４…タッチパネル式表示部（タッチパネル）、５…カードリーダ、７…リセットボタン（操作ボタン）、８…操作面部、２１…操作ボタン。
【先行技術文献】
【特許文献】
【００３２】
【特許文献１】特開２００４―９４８４１号公報
【図１】
2011034407.tif 000003
【図２】
2011034407.tif 000004
【図３】
2011034407.tif 000005
【図４】
2011034407.tif 000006